(57)【要約】      （修正有）【課題】装着性に優れたアクセサリーを提供する。【解決手段】指や腕などに装着するアクセサリーＡであって、線状の形状記憶材料によって螺旋状に形成された本体部１と、本体部に設けられる装飾部２と、を備え、装飾部は貫通孔を有し、貫通孔に挿通された本体部を軸に回転自在に設けられている。形状記憶材料によって直接巻き付けることができるよう構成されているため、指や腕のサイズに合わせてアクセサリーを容易に装着して固定することができる。【選択図】図１
0003200874.tif 000002
【実用新案登録請求の範囲】
【請求項１】
指や腕などの装着対象に装着するアクセサリーであって、
形状記憶材料によって螺旋状に形成された本体部と、
前記本体部に設けられる装飾部と、を備え、
前記装飾部は、回転自在に設けられていることを特徴とする、アクセサリー。
【請求項２】
前記本体部は、装着対象の周囲の２倍以上の長さを有していることを特徴とする、請求項１に記載のアクセサリー。
【請求項３】
前記装飾部は、球状に形成されていることを特徴とする、請求項１又は請求項２に記載のアクセサリー。
【請求項４】
前記本体部は、直径が１ｍｍ以下の金属線材によって形成されていることを特徴とする、請求項１〜３の何れかに記載のアクセサリー。
【請求項５】
前記装飾部は、真珠であることを特徴する、請求項１〜４の何れかに記載のアクセサリー。
【考案の詳細な説明】
【技術分野】
【０００１】
本考案は、指や腕等の装着対象に装着するアクセサリーであって、装着性に優れたアクセサリーに関するものである。
【背景技術】
【０００２】
従来、指輪や腕輪等の環状に形成されたアクセサリーは、内径の大きさが固定されており、使用者の指や腕の太さに適合したサイズのものを購入するのが一般的であった。しかしながら、このような内径の大きさが固定されたアクセサリーにおいては、使用者側は寸法合わせをして購入する必要があったし、販売店側は同一デザインのアクセサリーを複数サイズ準備する必要があった。
【０００３】
一方で、指輪の環状部の内径を調節可能に形成した指輪も、数多く提案されている。例えば、特許文献１には、金属製芯材に金属板をスパイラルコイル状に巻き付けたものを、さらにコイル状に巻いた環状部を有する指輪の技術が記載されている。このように、指輪の環状部をコイル状（螺旋状）に形成することにより、伸縮させて容易にサイズ調節を行うことができるよう構成されている。
【先行技術文献】
【特許文献】
【０００４】
【特許文献１】実公平６−１４５６８号公報
【考案の概要】
【考案が解決しようとする課題】
【０００５】
しかしながら、特許文献１に記載の指輪のように、指輪の環状部に指を嵌挿するタイプの指輪は、サイズ調節を複数回行う必要があり、装着するのが面倒であるという問題があった。すなわち、指の挿入前には、指の太い部分である第二関節の内径に合わせてサイズ調節を行う必要があり、指を挿入して第二関節をまたいだ後には、装着箇所である第二関節の根元の内径に合わせて再度サイズ調節を行う必要があった。
【０００６】
そこで、本考案者は、指輪の環状部を装着箇所に直接巻き付けることで、サイズ調節を複数回行う必要がなく、簡単に装着が可能な指輪を作製できるという考えに至った。
【０００７】
本考案は、かかる実情に鑑み、装着性に優れたアクセサリーを提供することを課題とする。
【課題を解決するための手段】
【０００８】
上記課題を解決するため、本考案に係るアクセサリーは、指や腕などの装着対象に装着するアクセサリーであって、形状記憶材料によって螺旋状に形成された本体部と、前記本体部に設けられる装飾部と、を備え、前記装飾部は、回転自在に設けられていることを特徴とする。
【０００９】
このように、本考案の本体部は、形状記憶材料によって螺旋状に形成することにより、アクセサリーを装着対象に直接巻き付けることができるよう構成されている。そのため、装着対象である指や腕のサイズに合わせてアクセサリーを容易に装着することができ、装着性と固定性を向上させることができる。
また、本考案の装飾部は、回転自在に構成されている。そのため、アクセサリーの軸方向へ移動させる際には、装飾部がガイドの役割をして、アクセサリーの位置直しを容易に行うことができる。
【００１０】
本考案の好ましい形態では、前記本体部は、装着対象の周囲の２倍以上の長さを有していることを特徴とする。
このような構成とすることにより、本体部が装着対象の周囲を２周以上巻き付けて、アクセサリーの固定性を向上させることができる。
【００１１】
本考案の好ましい形態では、前記装飾部は、球状に形成されていることを特徴とする。
このような構成とすることにより、装着対象との接触面積を少なくして、アクセサリーの軸方向への移動をより容易に行うことができる。
【００１２】
本考案の好ましい形態では、前記本体部は、直径が１ｍｍ以下の金属線材によって形成されていることを特徴とする。
このような構成とすることにより、本体部を容易に変形させることができ、アクセサリーの装着をより簡単に行うことができる。
【００１３】
本考案の好ましい形態では、前記装飾部は、真珠であることを特徴する。
このような構成とすることにより、装飾部を装飾性の高い球状に形成することができる。
【考案の効果】
【００１４】
本考案は、装着性に優れたアクセサリーを提供することができる。
【図面の簡単な説明】
【００１５】
【図１】本考案の実施形態１に係るアクセサリーの使用状態を示す正面図である。
【図２】本考案の実施形態１に係るアクセサリーの本体部が伸張する様子を示す正面図である。
【図３】本考案の実施形態１に係るアクセサリーの装着方法を示す図である。
【図４】本考案の実施形態１に係るアクセサリーの装着方法を示す図である。
【図５】本考案の実施形態２に係るアクセサリーの使用状態を示す正面図である。
【考案を実施するための形態】
【００１６】
以下、本考案を図面に示した好ましい実施形態１及び実施形態２について詳細に説明する。本考案の技術的範囲は、添付図面に示した実施形態に限定されるものではなく、実用新案登録請求の範囲に記載された範囲内において、適宜変更が可能である。
【００１７】
＜実施形態１＞
本実施形態に係るアクセサリーＡは、図１に示すように、指Ｍ１に装着する指輪であって、螺旋状に形成された本体部１と、この本体部１に設けられる装飾部２と、を備えている。
【００１８】
本体部１は、形状記憶材料によって線状に形成されており、図２に示すように、アクセサリーＡの軸方向に少し力を加える（引っ張る）と、容易に伸長されるよう構成されている。この本体部１は、力を加えていない時は螺旋が密に重なり、概略リング状に形成される（図２（ａ）参照）。一方で、アクセサリーＡの軸方向に力を加えると、螺旋が引き延ばされて、ほぼ一直線になるまで伸長させることが可能なよう構成されている（図２（ａ）、図２（ｂ）参照）。
この形状記憶材料としては、例えば、金属やポリマー、セラミックス等を挙げることができる。
【００１９】
また、本体部１の長さは、装着対象Ｍである指Ｍ１の周囲の２倍以上の長さに形成されており、例えば、１０ｃｍ〜５０ｃｍの長さに形成される。本体部１の直径は、形状記憶材料の弾性率にもよるが、人の力で容易に変形可能な直径に形成されており、例えば、０．１〜３ｍｍの直径に形成される。
【００２０】
装飾部２は、球状や円筒状に形成されており、本体部１が挿通される貫通孔（図示せず）を有している。この装飾部２は、上記の貫通孔に本体部１を挿通することで取り付けられるため、本体部１を軸にして回転自在に設けられている。
この装飾部２としては、例えば、真珠やビーズ等を挙げることができる。
【００２１】
次に、本実施形態に係るアクセサリーＡの装着方法について、図３及び図４を用いて、詳細に説明する。
【００２２】
装着対象ＭにアクセサリーＡを装着する際には、まず、本体部１の一端を指Ｍ１に巻き付けて固定し、本体部１を伸長させる（図３（ａ）参照）。そして、指Ｍ１に本体部１を巻き付けるようにして、アクセサリーＡを装着する（図３（ｂ）、図３（ｃ）、図３（ｄ）参照）。
【００２３】
そして、アクセサリーＡを装着した際に、装着感が好ましく無い場合には、アクセサリーＡを摺動させることで、装着感の良い好ましい位置まで移動させる（図４（ａ）、図４（ｂ）参照）。この時、装飾部２が指Ｍ１に接しながら回転することにより、アクセサリーＡが容易に移動させられる。
【００２４】
本考案によれば、本体部１は、形状記憶材料によって螺旋状に形成されていることにより、装着対象Ｍに直接巻き付けて装着可能なよう構成されている。このような構成とすることにより、本体部１は装着対象Ｍの外形に沿って装着されるため、従来の指輪のように複数回のサイズ調節を行うことなく好ましいサイズで装着することができる。
【００２５】
また、本考案によれば、上述したように、装着対象Ｍの外形に沿って装着されることにより、様々な太さの装着対象Ｍに適用することができる。すなわち、指Ｍ１の太さの個人差や、指Ｍ１のむくみや、五指の何れであるかに関わらず装着することができる。そのため、使用者側は寸法合わせをして購入する必要が無く、また、販売店側は同一デザインのアクセサリーを複数サイズ準備する必要は無いため、両者の手間を軽減することができる。
【００２６】
また、本考案によれば、本体部１は装着対象Ｍの周囲の２倍以上の長さに構成していることにより、本体部１を装着対象Ｍに２周以上巻き付けることができ、アクセサリーＡの固定性を向上させることができる。そのため、手を振りまわすような場合であっても、容易に外れることがない。
【００２７】
また、本考案によれば、装飾部２が回転自在に構成されていることにより、アクセサリーＡの装着後であっても、位置調節を容易に行うことができる。すなわち、装飾部２が回転してガイドの役割を果たすことにより、装着感の良い好ましい位置まで容易に移動させることができる。
【００２８】
また、本考案によれば、装着部２が球形に形成されていることにより、本体部１が装着対象Ｍと接触する面積を少なくすることができる。このように、本体部１と装着対象Ｍとが接触する摩擦箇所を減らすことにより、アクセサリーＡの移動をより容易に行うことができる。
【００２９】
＜実施形態２＞
以下、本考案の実施形態２のアクセサリーＢについて、図５を参照して詳細に説明する。この実施形態２に係るアクセサリーＢの本体部３は、先の実施形態の本体部１とは異なる曲率で形成されていることを特徴とする。なお、同実施形態において、先の実施形態と基本的に同一の構成要素については、同一の符号を付してその説明を簡略化する。
【００３０】
本実施形態に係るアクセサリーＢは、図５に示すように、腕Ｍ２に装着する腕輪であって、螺旋状に形成された本体部３と、この本体部３に設けられる装飾部２と、を備えて構成されている。
【００３１】
本体部３は、先の実施形態の本体部１と同様に、形状記憶材料によって線状に形成されており、容易に伸長可能なよう構成されている。この本体部３の長さは、装着対象Ｍである腕Ｍ２の周囲の２倍以上の長さに形成されており、例えば、３０ｃｍ〜６０ｃｍの長さに形成される。
【００３２】
本実施形態によれば、腕Ｍ２の外形に沿って装着することにより、腕Ｍ２の太さに関わらず、腕Ｍ２の周囲に密着した状態で装着することができ、アクセサリーＢの装着性と固定性を向上させることができる。
【００３３】
なお、実施形態１及び実施形態２では、指輪や手首に嵌める腕輪の例を示したが、ネックレスやヘアーバンド、あるいは足首に嵌めるアンクレット等にも、当然に適用することができる。
【符号の説明】
【００３４】
Ａ、Ｂ  アクセサリー
１、３  本体部
２      装飾部
Ｍ      装着対象
Ｍ１    指
Ｍ２    腕
【図１】
0003200874.tif 000003
【図２】
0003200874.tif 000004
【図３】
0003200874.tif 000005
【図４】
0003200874.tif 000006
【図５】
0003200874.tif 000007
【手続補正書】
【提出日】平成27年8月28日(2015.8.28)
【手続補正１】
【補正対象書類名】実用新案登録請求の範囲
【補正対象項目名】請求項１
【補正方法】変更
【補正の内容】
【請求項１】
指や腕などの装着対象に装着するアクセサリーであって、
線状の形状記憶材料によって螺旋状に形成された本体部と、
前記本体部に設けられる装飾部と、を備え、
前記装飾部は、前記本体部が挿通される貫通孔を有し、この貫通孔に挿通された前記本体部を軸に回転自在に設けられていることを特徴とする、アクセサリー。